(57)【要約】【課題】部品の取り付けを容易にした加熱調理器。【解決手段】本体２と、本体２を保持するプレート固定枠３３と、プレート固定枠３３の上面にネジの締め付け部を有しプレート固定枠３３の上面に設けて前記ネジを通すネジ穴３４ｄに凹部を有した操作プレート３４と、プレート固定枠３３の下面にネジの締め付け部を有しプレート固定枠３３の下面に設けて前記ネジを通すネジ穴３２ｃに凹部を有した基板ケース３２とを備えたものである。【選択図】  図７
2013181721.tif 000002
【特許請求の範囲】
【請求項１】
本体と、
該本体を保持するプレート固定枠と、
該プレート固定枠の上面に設けられた第１のネジ締め付け部に第１のネジで固定される操作プレートと、
前記プレート固定枠の下面に設けられた第２のネジ締め付け部に第２のネジで固定される基板ケースと、
を備えた加熱調理器であって、
前記操作プレートに設けられる第１のネジ穴は、前記第１のネジが貫通する第１の穴部と、前記第１のネジの頭部が嵌合する第１の凹部とを有し、
前記基盤ケースに設けられる第２のネジ穴は、前記第２のネジが貫通する第２の穴部と、前記第２のネジの頭部が嵌合する第２の凹部とを有することを特徴とする加熱調理器。
【請求項２】
本体と、
該本体を保持するプレート固定枠と、
該プレート固定枠の上面に第１のネジ締め付け部を有し、前記プレート固定枠の上面に設けて第１のネジを通す第１のネジ穴に第１の凹部を有した操作プレートと、
前記プレート固定枠の下面に第２のネジ締め付け部を有し、前記プレート固定枠の下面に設けて第２のネジを通す第２のネジ穴に第２の凹部を有した基板ケースと、
を備えたことを特徴とする加熱調理器。
【請求項３】
請求項１または２に記載の加熱調理器において、
前記第１のネジの頭部と前記操作プレートの上面は平面をなし、
前記第２のネジの頭部と前記基板ケースの下面は平面をなすことを特徴とする加熱調理器。
【発明の詳細な説明】
【技術分野】
【０００１】
本発明は、本体上面で操作する据え付けタイプの加熱調理器に関するものである。
【背景技術】
【０００２】
特許文献１に示すように、本体１の上面を成すトップフレーム３の前方に形成された操作面１０の下方に防水シート２７を挟んで操作部カバー上１１を配置して、第１のねじ１２を操作面１０の上面より通して固定している。その後に操作面１０の上面側にパネルシート２４を貼り付けている。また、操作部カバー上１１の内部には、機器の運転を制御するための制御回路１３を収納し、制御回路１３を第２のねじ１４によって操作部カバー上１１に固定している。また、制御回路１３は下側から操作部カバー下１５で下方を覆われ、操作部カバー下１５は第３のねじ１６によって操作部カバー上１１と固定された誘導加熱調理器が記載されている。
【先行技術文献】
【特許文献】
【０００３】
【特許文献１】特開２０１１−１７５８８６号公報
【発明の概要】
【発明が解決しようとする課題】
【０００４】
誘導加熱調理器に使用されているトップフレーム３は大変大きく、トップフレーム３の前方に形成された操作面１０の下方に防水シート２７を挟んで操作部カバー上１１を配置し、操作面１０の上面より第１のねじ１２を通して操作部カバー上１１を固定する操作は容易ではない。
【０００５】
また、製造現場において、制御回路１３の損傷を無くするために、操作回路１３を操作部カバー上１１と操作部カバー下１５とに収めてからトップフレーム３に取り付けた方が制御回路１３の損傷も無くなり取扱が良い。その場合、制御回路１３の故障時に操作部カバー上１１と操作部カバー下１５を一体の状態でトップフレーム３より取り除く場合や、防水シート２７が曲がって取り付けられていた場合や、取り付けるのを忘れた場合、貼り付けたパネルシート２４を一度剥がして第１のねじ１２を取り除く必要がある。その場合一度剥がしたパネルシート２４は再利用できない課題がある。
【課題を解決するための手段】
【０００６】
本発明は、上記の課題を解決するためになされたものであり、本体と、該本体を保持するプレート固定枠と、該プレート固定枠の上面にネジの締め付け部を有し前記プレート固定枠の上面に設けて前記ネジを通すネジ穴に凹部を有した操作プレートと、前記プレート固定枠の下面にネジの締め付け部を有し前記プレート固定枠の下面に設けて前記ネジを通すネジ穴に凹部を有した基板ケースとを備えたものである。
【発明の効果】
【０００７】
本発明によれば、基板などの部品の取り付け、取り外しが容易になる。
【図面の簡単な説明】
【０００８】
【図１】一実施例に係る加熱調理器をキッチンキャビネットに収納した状態の斜視図である。
【図２】一実施例に係る加熱調理器の斜視図である。
【図３】図１のＡ−Ａ断面図である。
【図４】一実施例に係る加熱調理器の操作部の分解説明図である。
【図５】一実施例の操作プレートの固定方法の説明図である。
【図６】一実施例の基板ケースの固定方法の説明図である。
【図７】一実施例の図１のＡ−Ａ断面図である。
【発明を実施するための形態】
【０００９】
以下、本発明の実施例を図１〜図７に従って説明する。  
図１、図２において、据え付けタイプの加熱調理器の本体２は、キッチンキャビネット１の上面から落とし込んで設置され、後述するプレート固定枠３３によって本体２を保持されている。そして設置後はオーブン４をキッチンキャビネット１の前面部から操作できるようになっている。
【００１０】
調理を行う際の被加熱物である調理鍋は、本体２の上面に配置され耐熱ガラス等からなるプレート３上に載置され、プレート３の端面は、プレート枠２０によって保護されて被加熱物を載置する天板を成している。
【００１１】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ、６ｂ間の奥（中央後部）に載置部中央６ｃが配置されている。そして、プレート３の載置部右６ａ、載置部左６ｂの下部に位置し本体２内の上部に配置して、調理鍋を加熱するための加熱手段３１である加熱コイル１１が設置されている。またプレート３の載置部中央６ｃの下部に位置し本体２内の上部に配置して、調理鍋を加熱するための加熱手段３１である１.２kWのラジエントヒーター７０が設置されている。このラジエントヒーター７０の代わりに加熱コイル１１を設置して２kWの誘導加熱の出力を得るようにしても良い。
【００１２】
載置部右６ａ、載置部左６ｂは各３kWの誘導加熱の出力である。鉄、ステンレスだけでなく非磁性金属の調理鍋も誘導加熱するものでも良い。
【００１３】
また、プレート３の前面側には後述する上面操作部９と上面表示部１０を備えた後述する操作部３５を設け、前面側に上面操作部９とその奥側に上面表示部１０が設けられている。
【００１４】
そして、上面操作部９には複数の入力キーを備え、後述する制御基板１３に対して加熱手段３１である加熱コイル１１、ラジエントヒーター７０とオーブン４の火力や加熱時間の設定を行い、上面表示部１０に前記上面操作部９にて設定された情報を表示する。
【００１５】
そして上面操作部９の右端には、電源の入切りを行うときに押下する操作ボタン１９を備えている。
【００１６】
本体２の前面左側には、魚や肉、ピザ等の被加熱物を焼くためのオーブン４が設けられ、開口部はドア４ａで塞がれる。なお、本実施例ではオーブン４を本体２の前面左側に設けたが、前面右側に設ける構成としても良い。また、オーブンは、呼び名としてロースター、グリルと呼ぶこともある。
【００１７】
図１〜図３において、制御回路１５０は、加熱コイル１１に電源を供給するインバータ基板１５や、加熱コイル１１に電源を供給する電力やラジエントヒーター７０やオーブン４の加熱を制御する制御基板１３である。
【００１８】
本体２の内部には、加熱コイル１１や制御回路１５０の電子部品を冷却するため、本体２前後に設けた吸気口７より吸い込んだ空気を、本体２内に送風する冷却手段である送風ファン１２を本体２の右後部に配置している。
【００１９】
吸気口７は、本体２の前面のマエカバー１８下方の前吸気口７ｂと後方の後吸気口７ａから成っている。
【００２０】
排気口８は、送風ファン１２により送風した空気で本体２内を冷却した後の温度上昇した空気を排出する場所である。左側の排気口８ｂからはオーブン４の廃熱も排出される。
【００２１】
１４は基板ケースで、制御基板１３とインバータ基板１５を覆い、基板ケース１４の後方側の後方空間５０に設けた送風ファン１２から送風される風を効率よく制御基板１３とインバータ基板１５に送るためのものである。
【００２２】
１３は制御基板で、上面操作部９によって設定された調理条件（火力や加熱時間）に応じて加熱コイル１１に供給する電力やオーブン４の加熱部（図示無し）を制御するものである。
【００２３】
次に、図４〜図７を用いて操作部３５の構成について説明する。  
操作部３５は、操作部３５を強固に保持するプレート固定枠３３と、上面操作部９と上面表示部１０とを設ける操作プレート３４と、上面操作部９と上面表示部１０の意匠などを印刷されている操作シート３６と、操作表示基板４０と、操作表示基板４０を収めている基板ケース３２（基板ケース３２の上に弾力性と光を透過する機能を持たせた防水シート３７を含む）とに分けられる。
【００２４】
次に、上記大別された各々について詳細に説明する。  
操作シート３６は、上面操作部９と上面表示部１０の意匠などを印刷したものである。上面操作部９の意匠としては、加熱手段３１の火力や加熱時間の設定を行うために押下する位置を示す複数の入力キー３６ａを備え、上面表示部１０の意匠としては、上面操作部９にて設定された情報を発光素子の点灯などで表示する複数の表示部３６ｂを備えている。
【００２５】
操作プレート３４は、操作シート３６を貼り付けるシート貼付面３４ａが設けられている。
【００２６】
図４等に示すように、シート貼付面３４ａには、皿ネジを通すためのネジ穴３４ｄが設けられている。そして、図７等に示すように、そのネジ穴３４ｄは、ネジが貫通する穴部とネジの頭が嵌合する凹部を備えており、上側から通したＡネジ４１ａ（皿ネジ）の頭部がシート貼付面３４ａで平面を構成できるように、使用するＡネジ４１ａの頭が潜り込む形状になっている。
【００２７】
また、シート貼付面３４ａには、操作シート３６を貼り付けたときに、操作シート３６に設けられている複数の入力キー３６ａと複数の表示部３６ｂとの位置に合わせて、入力キー３６ａを押下した動作を下方の操作表示基板４０のスイッチ４０ａに伝えるための穴３４ｂや、操作表示基板４０に設けた発光素子４０ｂの光を表示部３６ｂへと通過するための穴３４ｃが設けられている。
【００２８】
プレート固定枠３３は、本体２をキッチンキャビネット１の上面から落とし込んで設置した後に本体２を保持する大変強固なものである。
【００２９】
このプレート固定枠３３には、プレート３をシリコン接着材などで固定した後、プレート３の端面をプレート枠２０によってプレート３とプレート固定枠３３とを挟んで固定されている。また、このプレート固定枠３３の前方側の開口部３３ｂを設けた固定枠前３３ａに操作プレート３４を固定して操作部３５を構成している。
【００３０】
操作プレート３４の固定は、固定枠前３３ａに設けた固定ネジ穴３３ｃに操作プレート３４の上方から締められたＡネジ４１ａで固定されている。この固定ネジ穴３３ｃは操作プレート３４に設けたネジ穴３４ｄが収まる形状としている。
【００３１】
また、固定枠前３３ａには後述する基板ケース３２を下側からネジで固定するための固定ネジ穴３３ｄが設けられている。固定ネジ穴３３ｄは、ネジ穴３４ｄと同様に、凹部の底面部にネジと締まる穴が設けられているもので、下方から締めたネジ先端が操作プレート３４のシート貼付面３４ａに突出しないようにしている。
【００３２】
さらに、後述する基板ケース３２に設けた爪４６を挿入する穴３３ｅを設けている。  
操作表示基板４０は、操作シート３６に設けられている複数の入力キー３６ａの位置に合わせてスイッチ４０ａを設け、複数の表示部３６ｂの位置に合わせて発光素子４０ｂを設けている。
【００３３】
基板ケース３２は、基板ケース上３２ａと基板ケース下３２ｂとに別れ、基板ケース上３２ａと基板ケース下３２ｂの中に操作表示基板４０を収められている。そして、基板ケース３２の長手方向の一辺に爪４６を設け、対抗する他辺側にネジで固定するためのネジ穴３２ｃが複数箇所設けられている。このネジ穴３２ｃも、ネジ穴３４ｄと同様に、ネジが貫通する穴部とネジの頭が嵌合する凹部を備えており、ネジの頭部と基板ケースの下面で平面が構成される。
【００３４】
また、基板ケース上３２ａには、操作シート３６と操作表示基板４０との間で水密を保つために弾力性と光を透過する機能を持たせた防水シート３７が設けられている。この防水シート３７は、操作シート３６に設けられている複数の入力キー３６ａの位置に合わせて上部に凸部３７ａが設けられ、対向する下部にも操作表示基板４０のスイッチ４０ａの位置に合わせて凸部（表示なし）が設けられている。この凸部３７ａは開口部３３ｂから操作シート３６に届くようになっている。
【００３５】
本実施例は、以上の構成からなり、次にその動作について図４〜図７を用いて説明する。
【００３６】
操作部３５の組立について説明する。  
初めに、基板ケース３２の組立から説明する。  
基板ケース下３２ｂに操作表示基板４０を位置決めして基板ケース上３２ａを被せて基板ケース３２の組立は完了する。
【００３７】
操作表示基板４０の固定方法は、基板ケース下３２ｂに爪を設けて挟み込んで固定しても良いしネジで固定しても良い。また、基板ケース上３２ａを被せた時に固定されても良い。
【００３８】
基板ケース下３２ｂと基板ケース上３２ａの固定方法についても同様の方法にて固定される。
【００３９】
また、基板ケース上３２ａの上面側には、操作シート３６の入力キー３６ａが押下された動作を操作表示基板４０に設けたスイッチ４０ａに伝える凸部３７ａや、操作シート３６が剥れた場合でも水などが入らない水密構造を備えた防水シート３７が取り付けられている。
【００４０】
このように、操作表示基板４０を上記した基板ケース３２に収める一体化することで、後の作業が大変容易になる。
【００４１】
次に、プレート固定枠３３に操作プレート３４もしくは基板ケース３２を取り付ける説明をする。
【００４２】
取り付ける順番は操作プレート３４もしくは基板ケース３２のどちらが先でも良い。
【００４３】
本実施例では、プレート固定枠３３に先に操作プレート３４を固定する順番で説明する。
【００４４】
操作プレート３４の固定は、固定枠前３３ａに設けた固定ネジ穴３３ｃに操作プレート３４のネジ穴３４ｄの上方から通したＡネジ４１ａで締め付けて固定される。
【００４５】
Ａネジ４１ａは皿ネジを使用し、操作プレート３４のシート貼付面３４ａに凸凹にならないようにしている。
【００４６】
操作シート３６は操作プレート３４の固定後にシート貼付面３４ａに貼り付ける。  
操作プレート３４は構造物なので、電子部品で組まれた回路のように故障などの不具合が発生することがないので、一度取り付けられた操作プレート３４を外すことはない。そのため、一度貼り付けた操作シート３６を剥がして無駄にすることは無い。
【００４７】
次に、プレート固定枠３３に基板ケース３２を固定する。  
基板ケース３２の固定は、基板ケース３２の長手方向の一辺に設けられた爪４６を固定枠前３３ａに設けられた穴３３ｅに挿入し、対向する片側に設けられたネジ穴３２ｃにＢネジ４１ｂを通してプレート固定枠３３に設けられた固定ネジ穴３３ｄに締め付けて固定する。その時、基板ケース下３２ｂと基板ケース上３２ａは同時に両方とも固定される。
【００４８】
以上本実施例によれば、プレート固定枠３３のように大きな構造部材に、操作プレート３４や基板ケース３２などの部品を取り付ける時、該部品の取り付けとネジの締め付けを同一方向から行えるので、部品の取り付け、取り外しの作業が大変容易にできる。
【００４９】
また、鋼板でできたプレート固定枠３３に各ネジを締め付けるので、夫々のネジを強固に締め付けることが可能となり、ネジの緩みを防止することもができる。
【符号の説明】
【００５０】
１  キッチンキャビネット
２  本体
３  プレート
１１  加熱コイル
１４  基板ケース
１９  操作ボタン
２０  プレート枠
３１  加熱手段
３２  基板ケース
３２ｃ、３４ｄ  ネジ穴
３３  プレート固定枠
３３ａ  固定枠前
３４  操作プレート
３５  操作部
３６  操作シート
４２  操作キー
【図１】
2013181721.tif 000003
【図２】
2013181721.tif 000004
【図３】
2013181721.tif 000005
【図４】
2013181721.tif 000006
【図５】
2013181721.tif 000007
【図６】
2013181721.tif 000008
【図７】
2013181721.tif 000009